(57)【特許請求の範囲】
【請求項１】
本体と、
ＬＥＤの発光を駆動する電源モジュールを有する電源基板と、
ＬＥＤが実装されたＬＥＤ基板と、
カバーと、
感震センサとを備え、
前記本体、前記電源基板、前記ＬＥＤ基板および前記カバーの順に配置され、
前記ＬＥＤ基板は、前記カバーと対向する面が、前記ＬＥＤの実装面であり、
前記ＬＥＤ基板の前記実装面は、複数の前記ＬＥＤが実装された実装領域を有し、
前記感震センサは、加速度センサであり、
さらに、リモコン信号の受信部を備え、
前記受信部と前記加速度センサとが、一つのユニットケースの内部に収容され、
前記加速度センサは、前記電源基板と前記ＬＥＤ基板との間に配置されていることを特徴とする感震ＬＥＤ照明器具。
【請求項２】
前記加速度センサは、三軸の加速度センサである、請求項１記載の感震ＬＥＤ照明器具。
【請求項３】
前記加速度センサは、前記電源モジュールにより駆動するセンサである、請求項１または２に記載の感震ＬＥＤ照明器具。
【請求項４】
さらに、ブザーモジュールおよびブザー制御手段を備え、
前記ブザー制御手段は、前記加速度センサが振動を検知した際、前記ブザーモジュールのブザーをＯＮにする、請求項１から３のいずれか一項に記載の感震ＬＥＤ照明器具。
【請求項５】
さらに、ＬＥＤ制御部を備え、
前記ＬＥＤ制御部は、前記加速度センサが振動を検知した際、前記電源モジュールの駆動により前記ＬＥＤの発光をＯＮにする、請求項１から４のいずれか一項に記載の感震ＬＥＤ照明器具。
【請求項６】
前記加速度センサは、前記電源基板の表面から離間した状態で配置されている、請求項１から５のいずれか一項に記載の感震ＬＥＤ照明器具。
【請求項７】
前記加速度センサは、前記ＬＥＤ基板の表面から離間した状態で配置されている、請求項１から６のいずれか一項に記載の感震ＬＥＤ照明器具。
【請求項８】
さらに、残光モジュールを備え、
前記電源モジュールは、さらに、電気エネルギーを蓄電する蓄電部を備え、
前記残光モジュールは、前記蓄電部に蓄電された電気エネルギーにより発光するモジュールである、請求項１から７のいずれか一項に記載の感震ＬＥＤ照明器具。
【請求項９】
さらに、残光モジュール制御手段を備え、
前記残光モジュール制御手段は、前記加速度センサが振動を検知した際、前記蓄電部に蓄電された電気エネルギーを、前記残光モジュールに供給して、前記残光モジュールの発光をＯＮにする、請求項８に記載の感震ＬＥＤ照明器具。
【請求項１０】
前記ＬＥＤ基板に実装された複数の前記ＬＥＤのうち全部または一部を前記残光モジュールとして用いる、請求項８または９に記載の感震ＬＥＤ照明器具。
【請求項１１】
前記残光モジュールの発光の種類、色調、または、発光時間が予め設定可能である、請求項８から１０のいずれか一項に記載の感震ＬＥＤ照明器具。
【請求項１２】
前記ＬＥＤ基板は、リモコン信号が通過可能な開口またはリモコン信号透過性部材を有する、請求項１から１１のいずれか一項に記載の感震ＬＥＤ照明器具。
【発明の詳細な説明】
【技術分野】
【０００１】
本発明は、感震ＬＥＤ照明器具に関する。
【背景技術】
【０００２】
近年、地震の多発から、振動の感知により、消灯時でも、点灯したり、ブザーが鳴るような機能を備えた感震ＬＥＤ照明器具の需要が高まっている（特許文献１参照）。
【先行技術文献】
【特許文献】
【０００３】
【特許文献１】特開２００７−２８７５００号公報
【発明の概要】
【発明が解決しようとする課題】
【０００４】
感震ＬＥＤ照明器具は、感震センサにより振動を検知するが、地震によって家屋そのものが揺れることによる前記照明器具の揺れだけでなく、地震によらない前記照明器具の揺れも感知してしまう場合がある。
【０００５】
そこで、本発明は、精度よく地震による揺れや振動を検知することができる感震ＬＥＤ照明器具の提供を目的とする。
【課題を解決するための手段】
【０００６】
前記目的を達成するために、本発明の感震ＬＥＤ照明器具は、
本体と、
ＬＥＤ（発光ダイオード）の発光を駆動する電源モジュールを有する電源基板と、
ＬＥＤが実装されたＬＥＤ基板と、
カバーと、
感震センサとを備え、
前記本体、前記電源基板、前記ＬＥＤ基板および前記カバーの順に配置され、
前記ＬＥＤ基板は、前記カバーと対向する面が、前記ＬＥＤの実装面であり、
前記ＬＥＤ基板の前記実装面は、複数の前記ＬＥＤが実装された実装領域を有し、
前記感震センサは、加速度センサであることを特徴とする。
【発明の効果】
【０００７】
従来の感震ＬＥＤ照明器具では、一般的に、ボール（鋼球）が電極に触れると電流が流れる仕組みの感震センサが用いられている。このため、例えば、天井に取り付けられた前記照明器具が、天井面に対して約３度程度傾いただけでも、前記ボールが前記電極に触れてしまう。このため、前記照明器具は、例えば、天井に対する取付け角度や、地震以外の原因による傾き等も感知し、誤検知が生じる場合がある。これに対し、本発明の感震ＬＥＤ照明器具は、前記感震センサとして加速度センサを用いるため、例えば、前述のような取付け角度等の影響を受けることなく、より精度よく、地震等による揺れや振動を感知することが可能である。
【図面の簡単な説明】
【０００８】
【図１】図１は、実施形態１の感震ＬＥＤ照明器具の各構成部材の一例を示す分解斜視図である。
【図２】図２は、実施形態１の感震ＬＥＤ照明器具におけるＬＥＤ基板の一例を示す平面図である。
【図３】図３は、実施形態１の感震ＬＥＤ照明器具における、ユニットケースを拡大した斜視図である。
【図４】図４（Ａ）および（Ｂ）は、実施形態１の感震ＬＥＤ照明器具における本体と緩衝部材との関係の概略を示す断面図である。
【図５】図５（Ａ）は、実施形態２の感震ＬＥＤ照明器具において、実装領域と非実装領域とを含むＬＥＤ基板の一例を示す平面図であり、図５（Ｂ）は、実施形態２の感震ＬＥＤ照明器具において、実装面の全面が実装領域となるＬＥＤ基板の一例を示す平面図である。
【発明を実施するための形態】
【０００９】
本発明の感震ＬＥＤ照明器具において、例えば、前記加速度センサは、三軸の加速度センサである。
【００１０】
本発明の感震ＬＥＤ照明器具は、例えば、さらに、リモコン信号の受信部を備える。
【００１１】
本発明の感震ＬＥＤ照明器具は、例えば、前記受信部と前記加速度センサとが、一つのユニットケースの内部に収容されている。
【００１２】
本発明の感震ＬＥＤ照明器具において、例えば、前記加速度センサは、前記電源モジュールにより駆動するセンサである。
【００１３】
本発明の感震ＬＥＤ照明器具は、例えば、さらに、ブザーモジュールおよびブザー制御手段を備える。前記ブザー制御手段は、前記加速度センサが振動を検知した際、前記ブザーモジュールのブザーをＯＮにする。
【００１４】
本発明の感震ＬＥＤ照明器具は、例えば、さらに、ＬＥＤ制御部を備える。前記ＬＥＤ制御部は、前記加速度センサが振動を検知した際、前記電源モジュールの駆動により前記ＬＥＤの発光をＯＮにする。
【００１５】
本発明の感震ＬＥＤ照明器具において、例えば、前記加速度センサは、前記電源基板と前記ＬＥＤ基板との間に配置されている。
【００１６】
本発明の感震ＬＥＤ照明器具において、例えば、前記加速度センサは、前記電源基板の表面から離間した状態で配置されている。
【００１７】
本発明の感震ＬＥＤ照明器具において、例えば、前記加速度センサは、前記ＬＥＤ基板の表面から離間した状態で配置されている。
【００１８】
本発明の感震ＬＥＤ照明器具は、例えば、さらに、残光モジュールを備え、前記電源モジュールは、さらに、電気エネルギーを蓄電する蓄電部を備え、前記残光モジュールは、前記蓄電部に蓄電された電気エネルギーにより発光するモジュールである。
【００１９】
本発明の感震ＬＥＤ照明器具は、例えば、さらに、残光モジュール制御手段を備え、前記残光モジュール制御手段は、前記加速度センサが振動を検知した際、前記蓄電部に蓄電された電気エネルギーを、前記残光モジュールに供給して、前記残光モジュールの発光をＯＮにする。
【００２０】
本発明の感震ＬＥＤ照明器具において、例えば、前記加速度センサは、前記実装領域内に対応する部位に配置されている。
【００２１】
本発明の感震ＬＥＤ照明器具において、例えば、前記本体は、一方の面が、前記ＬＥＤ照明器具の設置対象と対向する設置面であり、前記本体の前記設置面は、周方向に、前記設置対象に接する緩衝部材が配置され、前記加速度センサは、前記緩衝部材の配置位置よりも、前記ＬＥＤ照明器具の中心側に対応する部位に配置されている。
【００２２】
以下、本発明の感震ＬＥＤ照明器具について、図面を参照して詳細に説明する。ただし、本発明は、以下の説明に限定されない。なお、図１から図５において、同一部分には、同一符号を付し、その説明を省略する場合がある。また、図面においては、説明の便宜上、各部の構造は適宜簡略化して示す場合があり、各部の寸法比等は、実際とは異なり、模式的に示す場合がある。
【００２３】
［実施形態１］
本実施形態は、感震ＬＥＤ照明器具の一例である。図１に、本実施形態の感震ＬＥＤ照明器具の構成の一例を示す。図１は、感震ＬＥＤ照明器具の主な構成部材を分解して示した斜視図である。本実施形態において、感震ＬＥＤ照明器具は、略円形としたが、これには制限されない。
【００２４】
本実施形態の感震ＬＥＤ照明器具は、例えば、天井に取り付けるＬＥＤシーリングライトとして使用できる。この場合、前記感震ＬＥＤ照明器具は、例えば、取付部を有し、他方、天井は、引掛けシーリングボディ等の屋内配線器具と、これに電気的に接続されたアダプタとを備える。そして、前記感震ＬＥＤ照明器具は、前記取付部により、前記アダプタに取付けられ、且つ、前記屋内配線器具と電気的に接続される。なお、以下の説明において、特に説明しない限り、前記感震ＬＥＤ照明器具は、天井に取り付けられた状態を基準とし、天井側を上面側、その反対側（床側）を下面側という。また、設置対象の面と平行な方向を面方向といい、前記面方向に垂直な方向、すなわち、上面側と下面側とを結ぶ方向を厚み方向（または軸方向）という。
【００２５】
図１に示すように、感震ＬＥＤ照明器具１は、上面側から、本体１０、電源基板１１、電源カバー１５、ＬＥＤ基板１２およびカバー１３が、この順序で配置されて、電源基板１１とＬＥＤ基板１２との間にユニットケース１４が配置されている。ユニットケース１４は、リモコン信号の受信部と感震センサとを備える。前記感震センサは、加速度センサである。感震ＬＥＤ照明器具１において、電源カバー１５は、任意の構成部材であり、有してもよいし、有さなくてもよい。
【００２６】
本体１０は、前記天井に対向する部材であり、その上面は、前記天井に対向する面であり、その下面は、電源基板１１が配置される面である。本体１０は、中央に、下面側に突出した開口１０１を有し、中央よりであって前記開口の周囲に、上面側に凹んだ円周帯状の凹部１０２を有する。前者の前記突出した開口１０１は、前記天井に対する取付部が配置され、後者の前記円周帯状の凹部１０２には、電源基板１１が配置される。本体１０の素材は、特に制限されず、スチール等の金属があげられる。
【００２７】
本体１０の上面は、感震ＬＥＤ照明器具１の設置対象（前記天井）に対向する設置面であり、前記設置面は、例えば、前記設置対象に接する緩衝部材が配置されてもよい。前記緩衝部材は、特に制限されず、例えば、スポンジ等があげられる。このような形態によれば、感震ＬＥＤ照明器具１を設置対象に設置した際、感震ＬＥＤ照明器具１と前記設置対象との間に前記緩衝部材が存在するため、例えば、前記設置対象への感震ＬＥＤ照明器具１の固定化をより安定にすることができる。
【００２８】
前記緩衝部材の設置位置は、特に制限されない。前記緩衝部材は、例えば、本体１０の前記設置面において周方向に配置され、具体例として、感震ＬＥＤ照明器具１の中心から、本体１０の外周までの長さを１とした場合、前記中心から３／１０〜１の範囲があげられる。前記緩衝部材は、例えば、周方向において、連続して配置されてもよいし、非連続で配置されてもよい。
【００２９】
本体１０における前記緩衝部材の配置位置は、例えば、前記設置対象に対向する本体１０の上面の形状により、適宜設定することもできる。図４に、前記設置対象である天井に対する前記本体の上面の形状と前記緩衝部材の配置位置との関係を示す概略断面図を示す。図４において、（Ａ）は、本体２０の上面が、設置対象に対して凸部を有する形態であり、（Ｂ）は、本体２１の上面が、設置対象に対してフラットな形態である。図４（Ａ）に示すように、本体２０の上面が凸部を有する場合、緩衝部材２２は、例えば、前記凸部の外周側に配置する。この場合、緩衝部材２２は、本体２０の半径において、例えば、中心から３／１０〜３／５の付近、具体例としては、２７／５０付近に配置される。また、図４（Ｂ）に示すように、本体２１の上面がフラットな場合、緩衝部材２２は、例えば、本体２１の外周側に配置され、外観の点から、外部から見えない程度に内よりであることが好ましい。
【００３０】
電源基板１１は、その上面が、本体１０に対向し、その下面に、ＬＥＤの発光を駆動する電源モジュールが配置されている。前記電源モジュールは、特に制限されず、従来公知の回路部品等があげられる。電源基板１１の前記電源モジュールは、感震ＬＥＤ照明器具１が、天井のアダプタに電気的に接続されると、前記アダプタを介して交流電源に接続される。そして、前記電源モジュールは、受けた交流電流から直流電流を生成し、これをＬＥＤ基板１２の各ＬＥＤ１２１に供給して、ＬＥＤ１２１の発光を駆動させることができる。前記電源モジュールは、例えば、電源制御用の制御電源を有し、前記制御電源の電圧は、例えば、１．５〜１７Ｖである。前記制御電源は、例えば、１系統でもよいし、２系統でもよく、一例として、５Ｖと１４Ｖの２系統があげられる。
【００３１】
電源カバー１５は、その上面が、電源基板１１に対向し、その下面が、ＬＥＤ基板１２に対向する。感震ＬＥＤ照明器具１が電源カバー１５を有する場合、例えば、電源カバー１５によって、本体１０内の空間を２室に区切ることができる。そして、電源カバー１５によれば、例えば、ＬＥＤ１２１からの放熱の促進、電源基板１１が発する放熱の遮断、ＬＥＤ基板１２の固定等を、より効率よく行うことができる。電源カバー１５の素材は、特に制限されず、例えば、アルミニウム、スチール等の金属等があげられる。
【００３２】
ＬＥＤ基板１２は、その上面が、電源基板１１に対向し、電源カバー１５を有する場合は、電源カバー１５に対向し、その下面が、カバー１３と対向し、且つ、ＬＥＤ１２１が実装された実装面である。感震ＬＥＤ照明器具１を天井に設置した際、ＬＥＤ１２１の実装面は、前面側となり、下方を照射することになる。
【００３３】
ＬＥＤ基板１２の実装面は、複数のＬＥＤ１２１が実装された実装領域を有する。ＬＥＤ基板の実装面は、例えば、前記実装領域とＬＥＤが実装されていない非実装領域とを有し、前記非実装領域が、前記実装領域の周囲における円周帯状の領域であってもよいし、前記実装面の全領域が実装領域であってもよい。前者の場合、例えば、前記実装領域と前記非実装領域との境界が、前記実装領域の外周となり、後者の場合、例えば、前記ＬＥＤ基板の外周が、前記実装領域の外周となる。
【００３４】
図１において、ＬＥＤ基板１２は、前者の形態、すなわち前記実装領域と前記非実装領域とを有する。すなわち、ＬＥＤ基板１２の実装面は、複数のＬＥＤ１２１が実装された実装領域を有し、前記実装領域の周囲に、ＬＥＤ１２１が実装されていない円周帯状の非実装領域を有する。前記実装領域は、例えば、感震ＬＥＤ照明器具１の中心から外側に向かって広がる領域である。この場合、前記実装領域の外周は、面方向の全方位において前記中心から最も離れて実装されたＬＥＤ１２１の位置が、前記実装領域の外周である。図２の平面図に、図１のＬＥＤ基板１２の概略を示す。図２に示すように、ＬＥＤ基板１２の実装面には、中央から全方位に向かって、複数のＬＥＤ１２１が配置されており、点線より内部の領域が、前記実装領域であり、点線より外部の領域が、前記非実装領域である。
【００３５】
ＬＥＤ基板１２において、複数のＬＥＤ１２１の実装形態は、特に制限されない。複数のＬＥＤ１２１は、例えば、ＬＥＤ基板１２において、円周上に実装されている。円周の数は、特に制限されず、例えば、同心円状の複数の円周上が好ましい。同じ円周上におけるＬＥＤ１２１の実装間隔は、例えば、等間隔でもよいし、異なる間隔でもよい。隣接する円周上間において、ＬＥＤ１２１は、中心から外周方向に向かって、同じ線状に実装されてもよいし、ずれた位置関係となるように実装されてもよい。
【００３６】
図１および図２において、ＬＥＤ基板１２の中央は、開口部を有しているが、開口部を有していなくてもよい。
【００３７】
カバー１３は、その上面がＬＥＤ基板１２に対向し、その下面が、照射面となる。カバー１３の部材は、例えば、透光性を有し、また、さらに拡散性を有する部材があげられ、具体例としては、ポリカーボネート樹脂、アクリル樹脂等の透光性樹脂等があげられる。
【００３８】
前記加速度センサは、特に制限されず、例えば、静電容量検出方式があげられ、具体的に、三軸加速度センサ（例えば、STMicroelectronics製LIS2DH12等）等があげられる。
【００３９】
このように、前記感震センサとして、前記加速度センサを使用することにより、天井に対する前記感震ＬＥＤ照明器具の取付け角度の影響を受けることなく、より精度よく、地震の感知を行うことが可能となる。また、前記加速度センサは、例えば、加速度センサ用に別途電池を必要とせず、ＬＥＤの発光を駆動する前記電源モジュールにより駆動させることが可能である。
【００４０】
前記加速度センサの配置部位は、特に制限されないが、例えば、厚み方向において、電源基板１１とＬＥＤ基板１２との間に配置されることが好ましい。この際、前記加速度センサは、例えば、電源基板１１の面およびＬＥＤ基板１２の面と、それぞれ直接的に接触せず、距離を置いた状態で配置されることが好ましい。このように、電源基板１１およびＬＥＤ基板１２と距離を置いて配置することにより、例えば、近傍の大電流によるノイズの影響をより回避し、感震精度をより向上できる。感震ＬＥＤ照明器具１が電源カバー１５を有する場合は、後述するように、電源基板１１とＬＥＤ基板１２との間であって、前記加速度センサが配置される領域において、電源カバー１５は開口を有していることが好ましい。
【００４１】
前記加速度センサは、図１に示すように、例えば、ユニットケース１４に収容されている。ユニットケース１４は、ＬＥＤ基板１２の実装領域内に対応する位置であって、電源基板１１の下面（ＬＥＤ基板１２との対向面）側に、配置されている。
【００４２】
図３に、ユニットケース１４を拡大した斜視図を示す。ユニットケース１４内には、ユニット基板１４１が配置され、ユニット基板１４１の下面側に前記加速度センサが固定化されている。ユニット基板１４１は、前述のように、電源基板１１側の上面が、電源基板１１の下面と距離を置いた状態で配置されていることが好ましい。
【００４３】
本実施形態の感震ＬＥＤ照明器具１は、さらに、前記加速度センサの検出結果から揺れを演算する演算手段を有することが好ましい。
【００４４】
前記加速度センサによる揺れの判定は、特に制限されず、例えば、波形の周期の閾値範囲を予め設定し、加速度センサによる加速度の測定結果から波形の周期を演算し、前記波形の周期が、閾値範囲内の場合には、揺れと判定とし、閾値範囲より小さいまたは閾値範囲より大きい場合には、揺れではないと判定とすることができる。前記閾値範囲としては、例えば、周期０．２ｓ〜２ｓが例示でき、この範囲内の場合は揺れ、この範囲から外れる場合は揺れではないと判断できる。また、周期だけでなく、例えば、周期が所定の範囲内であり、且つ、加速度が一定の値以上である場合に、揺れと判断し、周期が所定の範囲から外れる、または、加速度が一定の値未満である場合に、揺れではないと判断してもよい。加速度の測定結果からの震度の算出は、特に制限されず、例えば、気象庁のＵＲＬ（http://www.data.jma.go.jp/svd/eqev/data/kyoshin/kaisetsu/comp.htm）等にも開示されており、既存の手法を採用できる。
【００４５】
感震ＬＥＤ照明器具１は、例えば、さらに、リモコン信号の受信部を備えてもよい。前記受信部は、例えば、前記加速度センサとともに、一つのユニットケースの内部に収容されてもよい。図１において、前記受信部は、ユニット基板１４１の下面側に、前記加速度センサとともに固定化され、ユニットケース１４に収容されている。
【００４６】
前記リモコン信号は、床側から天井側の感震ＬＥＤ照明器具１に向かって、リモコン操作により送信される。このため、感震ＬＥＤ照明器具１において、前記受信部よりも下面側が、前記リモコン信号を透過可能であることが好ましい。このため、図１において、ユニットケース１４の下面側において、ＬＥＤ基板１２および電源カバー１５は、ユニットケース１４内の前記受信部に前記リモコン信号が届くように、それぞれ、開口１２２および開口１５２を有している。また、ＬＥＤ基板１２において、前記受信部と対向する領域は、例えば、開口１２２および開口１５２に代えて、前記リモコン信号を透過する透過性部材で形成されてもよい。なお、図１の感震ＬＥＤ照明器具１は、前記加速度センサと前記受信部とを同じユニットケース１４に収容する形態を例示したが、これには制限されず、例えば、それぞれを別個のユニットケース１４に収容した状態で配置してもよい。
【００４７】
感震ＬＥＤ照明器具１は、例えば、さらに、ブザーモジュールおよびブザー制御手段を備えてもよい。この形態によれば、前記ブザー制御手段は、前記加速度センサが振動を検知した際、前記ブザーモジュールのブザーをＯＮすることができるため、ブザーにより、地震の発生を使用者に知らせることができる。前記ブザーの条件として、例えば、ブザーの種類、ブザーの時間等を予め設定してもよい。
【００４８】
感震ＬＥＤ照明器具１について、前記加速度センサを駆動させるには、例えば、主電源（「外部電源」または「固定のスイッチ」ともいう）をＯＮにしておく。また、感震ＬＥＤ照明器具１が、前述のように、副電源であるリモコン（「リモコンスイッチ」ともいう）によりＯＮ−ＯＦＦを制御できる場合、前記加速度センサを駆動させるには、リモコンスイッチはＯＮでもＯＦＦでもよい。主電源をＯＮにしておくことで、感震ＬＥＤ照明器具１には、前記リモコン信号を受信するための電流が流れているため、その電気エネルギーによって、前記加速度センサが振動を検知し、前記電源モジュールの駆動により前記ＬＥＤの発光をＯＮにすることができる。
【００４９】
感震ＬＥＤ照明器具１は、例えば、内部に、さらに反射板を備えてもよい。
【００５０】
〔実施形態２〕
本実施形態は、ＬＥＤ基板１２の前記実装領域内に対応する部位に、前記加速度センサを備える感震ＬＥＤ照明器具の一例である。特に示さない限り、本実施形態２は、他の実施形態を援用できる。
【００５１】
感震ＬＥＤ照明器具１は、例えば、ＬＥＤ基板１２の非実装領域ではなく、それよりも中心側の前記実装領域に対応する部位に、前記加速度センサを備えれば、地震以外の揺れに対する感度をより低減させ、地震による揺れに対する感度をさらに向上させることができる。
【００５２】
前記加速度センサの配置位置は、ＬＥＤ基板１２の前記実装領域内に対応する部位に配置されていることが好ましく、例えば、以下のような条件が例示できる。
【００５３】
前記加速度センサの配置位置は、例えば、感震ＬＥＤ照明器具１の中心から、ＬＥＤ基板１２の前記実装領域の外周までの長さを基準に設定することができる。すなわち、前記加速度センサの配置位置は、感震ＬＥＤ照明器具１の中心から、ＬＥＤ基板１２の前記実装領域の外周までの長さ（半径ともいう）を１とした場合、例えば、前記中心から０〜１の範囲、前記中心から１／５〜１の範囲、前記中心から１／５〜２／３の範囲である。
【００５４】
感震ＬＥＤ照明器具１におけるＬＥＤ基板１２は、前述のように、前記実装領域と前記非実装領域とを含む形態がある。この形態を、図５（Ａ）の概略図に示す。図５（Ａ）において、斜線領域が、前記実装領域に対応する。この場合、前記加速度センサの配置位置は、例えば、感震ＬＥＤ照明器具１の中心から、ＬＥＤ基板１２の外周までの長さ（半径ともいう。図５（Ａ）において矢印）を基準に設定することもできる。すなわち、前記加速度センサの配置位置は、感震ＬＥＤ照明器具１の中心から、ＬＥＤ基板１２の外周までの長さを１とした場合、例えば、前記中心から０〜１未満の範囲、前記中心から１／５〜１未満の範囲が好ましい。
【００５５】
感震ＬＥＤ照明器具１におけるＬＥＤ基板１２は、前述のように、前記実装面の全面が前記実装領域となる形態がある。この形態を、図５（Ｂ）の概略図に示す。図５（Ｂ）において、斜線領域が、前記実装領域に対応する。この場合、前記加速度センサの配置位置は、例えば、感震ＬＥＤ照明器具１の中心から、感震ＬＥＤ照明器具１の外周までの長さ（半径ともいう。図５（Ｂ）において矢印）を基準に設定することもできる。すなわち、前記加速度センサの配置位置は、感震ＬＥＤ照明器具１の中心からその外周までの長さを１とした場合、例えば、前記中心から０〜１０／１２の範囲、前記中心から１／５〜１０／１２の範囲、前記中心から１／５〜２／３の範囲が好ましい。
【００５６】
前記加速度センサの配置位置は、例えば、感震ＬＥＤ照明器具１の中心からの距離で表すこともできる。この場合、前記加速度センサの配置位置は、例えば、感震ＬＥＤ照明器具１の半径に応じて適宜決定できるが、感震ＬＥＤ照明器具１の中心から、例えば、４ｃｍ〜２５ｃｍの範囲である。感震ＬＥＤ照明器具１の半径は、特に制限されない。感震ＬＥＤ照明器具１の半径が、例えば、半径２０ｃｍ〜２５ｃｍの場合、前記加速度センサの配置位置は、例えば、感震ＬＥＤ照明器具１の中心からの距離が、前記範囲であることが好ましい。
【００５７】
［実施形態３］
本実施形態は、さらに、前記蓄電部および前記残光モジュールを備える感震ＬＥＤ照明器具の一例である。特に示さない限り、本実施形態３は、他の実施形態を援用できる。なお、本実施形態において、前記ＬＥＤ基板のＬＥＤの発光は、通常の通電による発光を主照明と呼び、前記残光モジュールの発光を副照明または残光照明と呼ぶ。
【００５８】
本実施形態の感震ＬＥＤ照明器具は、さらに、前記残光モジュールを備え、前記電源モジュールは、さらに、電気エネルギーを蓄電する蓄電部を備える以外は、特に示さない限り、前記実施形態１および２と同様である。前記残光モジュールは、前記蓄電部に蓄電された電気エネルギーにより発光するモジュールであり、例えば、前記ＬＥＤ基板に実装されたＬＥＤが、前記残光モジュールを兼ねる。
【００５９】
この形態によれば、前記加速度センサが振動を検知した際、前記実施形態１と同様に、まず、前記電源モジュールの駆動により前記ＬＥＤの発光（主照明）をＯＮにする。しかし、停電等により、主電源（「外部電源」ともいう）が遮断されている場合、主照明を点灯させることができない。そうすると、前記感震ＬＥＤ照明器具は、前記残光モジュールの発光（副照明）の点灯モードに切り替わり、前記蓄電部に蓄電された電気エネルギーが、前記残光モジュールに供給され、前記残光モジュールの発光をＯＮにすることができる。
【００６０】
このように、蓄電された電気エネルギーにより発光する残光モジュールを備えることにより、例えば、地震で停電が起きた場合でも、蓄電された電気エネルギーを利用して、強制的に、残光モジュールを発光させることができる。つまり、停電時の自動的な点灯も可能になるため、より安全性を確保することができる。
【００６１】
前記残光モジュールは、例えば、発光する残光照明負荷を備え、前記蓄電部と電気的に接続されている。前記残光モジュールの前記残光照明負荷は、例えば、ＬＥＤであり、前記ＬＥＤ基板に実装されたＬＥＤが、前記残光照明負荷を兼ねてもよい。この場合、前記ＬＥＤ基板に実装された複数のＬＥＤのうち、全てまたは一部について、さらに、前記蓄電部と電気的に接続させることで、それらのＬＥＤは、前記残光モジュールとしても機能することになる。
【００６２】
本実施形態においては、前記電源モジュールは、前述のように、さらに前記蓄電部を備える以外は、特に制限されず、従来公知の回路部品等があげられる。前記電源モジュールは、具体的に、例えば、電流生成部と前記蓄電部とを備える。本実施形態の感震ＬＥＤ照明器具は、天井のアダプタに電気的に接続されると、前記アダプタを介して交流電源に接続される。そして、前記電源モジュールの前記電流生成部は、受けた交流電流から直流電流を生成し、これを前記ＬＥＤ基板の各ＬＥＤに供給して、ＬＥＤの発光（主照明）を駆動させることができ、前記蓄電部は、蓄積した電気エネルギーにより前記残光モジュールの発光（副照明）を駆動させることができる。
【００６３】
前記残光モジュールおよび前記残光モジュールを発光させるための蓄電部に関しては、特に制限されず、従来公知の技術が使用できる。具体例としては、特開２０１３−８０７０２号公報における残光回路モジュールの記載が援用できる。
【００６４】
また、感震ＬＥＤ照明器具１は、例えば、さらに、ＬＥＤ制御手段を備えてもよい。この場合、前記ＬＥＤ制御手段によって、例えば、前述のように、前記加速度センサが振動を検知した際、前記電源モジュールの駆動により前記ＬＥＤの発光をＯＮにすることができる。このため、発光により、地震の発生を使用者に知らせることができ、また、就寝時等であっても、自動的に灯りをつけて安全性を確保することができる。前記発光の条件として、例えば、明かりの種類、色調、発光時間等を予め設定してもよい。
【００６５】
また、感震ＬＥＤ照明器具１は、例えば、さらに、残光モジュール制御手段を備えてもよい。この場合、前記残光モジュール制御手段によって、例えば、前述のように、前記加速度センサが振動を検知した際、前記電源モジュールの駆動により前記ＬＥＤの発光をＯＮにすることができる。より詳細には、例えば、主電源が遮断されている場合、前記残光モジュール制御手段により、前記残光モジュールの発光の点灯モードに切り替わり、前記蓄電部に蓄電された電気エネルギーが前記残光モジュールに供給され、前記残光モジュールの発光をＯＮにする。
【００６６】
以上、実施形態を参照して本発明を説明したが、本発明は、上記実施形態に限定されるものではない。本発明の構成や詳細には、本発明のスコープ内で当業者が理解しうる様々な変更をすることができる。
【産業上の利用可能性】
【００６７】
本発明の感震ＬＥＤ照明器具によれば、例えば、家屋の揺れにはよらない振動の誤検知を防ぐことができ、より精度よく揺れや振動を感知することが可能である。
【符号の説明】
【００６８】
１      感震ＬＥＤ照明器具
１０、２０、２１    本体
１１    電源基板
１２    ＬＥＤ基板
１３    カバー
１４    ユニットケース
１５    電源カバー
１４１  ユニット基板
２２    緩衝部材
【図１】
0006762144.tif 000002
【図２】
0006762144.tif 000003
【図３】
0006762144.tif 000004
【図４】
0006762144.tif 000005
【図５】
0006762144.tif 000006